(57)【要約】    【課題】  本発明は、非常にシンプルな構成でもって濁水を迅速、かつ、確実に能率良く濾過処理せしめることが出来るのみならず、比較的少量の濁水を発生する土木建設工事現場においても容易に搬入して使用することが出来る簡便な濁水用濾過装置を提供するものである。    【解決手段】  可搬自在とされた濾過槽１ａ・１ｂの一端部に送水口２が形成されると共に、同他端部に排水口３が形成され、該濾過槽１ａ・１ｂ内には下端部が開放状とされた仕切板８・１０と上端部が開放状とされた仕切板９とを交互に配設して所要数の濾過室４・５・６が区画形成され、該各濾過室４・５・６には各々所要のレベルでもってフィルタ−１１が着脱自在に布設された構成よりなる。    【選択図】      図３
2005131565.tif 000002
【特許請求の範囲】
【請求項１】
可搬自在とされた濾過槽の一端部に送水口が形成されると共に、同他端部に排水口が形成され、該濾過槽内には下端部が開放状とされた仕切板と上端部が開放状とされた仕切板とを交互に配設して所要数の濾過室が区画形成され、該各濾過室には各々所要のレベルでもってフィルタ−が着脱自在に布設されてなることを特徴とする、濁水用濾過装置。
【請求項２】
フィルタ−は上下一対の透水シ−ト間に粒状濾材を介装して層状に形成されてなることを特徴とする、濁水用濾過装置。
【請求項３】
濾材が山砂・川砂・軽石等の粒状物よりなることを特徴とする、請求項１〜２記載の濁水用濾過装置。
【請求項４】
濾過槽の送水口に連結ホ−スを介して所要のノッチタンクが接続されてなることを特徴とする、請求項１〜３記載の濁水用濾過装置。
【発明の詳細な説明】
【技術分野】
【０００１】
本発明は、主として土木建設工事現場に搬入して使用する簡便な濁水用濾過装置に関する。
【背景技術】
【０００２】
従来より、例えば土木建設工事現場においては、使用された水の全量が廃棄物処理法の適用を受ける汚泥であり、処分場まで運んで廃棄するものとされていた。しかしながら、リサイクル推進法の制定により現場においては、所要の工事現場から排出される汚濁水をらか処理して放流しなければならないものとされている。
【０００３】
ところで、土木建設工事現場において派生する汚濁水を濾過処理して浄水化せしめる装置としては、特開２００２−２８４０７号に記載されているように、蓋付き濾過槽の一端部に送水口が形成されると共に、同他端部に排水口が形成され、該濾過槽内には不織布製袋状フィルタ−が吊設され、かつ、濾過槽にはその内部の空気を排出せしめるべく真空ポンプが接続されたものが知られている。
【０００４】
そして、上述の如く構成された従来の濾過装置は、真空ポンプにより濾過槽内を排気して減圧せしめつつ、別途設置された貯留槽より総吸い口を介して濾過槽内に汚濁水を導入せしめ、袋状・フィルタ−により濾過して憔悴かせしめたのち、排水口を通して外部に排出せしめるものとされている。
【特許文献１】特開２００２−２８４０７号公報
【発明の開示】
【発明が解決しようとする課題】
【０００５】
ところで、上述野如く構成された従来の濁水用濾過装置は、大量に発生する汚濁水を比較的大容量の貯留槽に貯留せしめて濾過処理せしめるものであるから、土木建設工事現場において発生する比較的少量の汚濁水の濾過処理には設置スペ−スや処理コストなどの点から問題があり、適用せしめずらいものとなっていた。また、濾過槽内には袋状のフィルタ−を吊設するものであるから、必然的に真空ポンプが必要とされるものであって、ひいては、装置自体が複雑化するのみならず、大型化しやすいものとなっていた。
【０００６】
本発明は従来の問題点を解決し、非常にシンプルな構成でもって濁水を迅速、かつ、確実に能率良く濾過処理せしめることが出来るのみならず、比較的少量の濁水を発生する土木建設工事現場においても容易に搬入して使用することが出来る簡便な濁水用濾過装置を提供しようとするものである。
【課題を解決するための手段】
【０００７】
上記の目的を達成するため、本発明の請求項１記載の発明は、可搬自在とされた濾過槽の一端部に送水口が形成されると共に、同他端部に排水口が形成され、該濾過槽内には下端部が開放状とされた仕切板と上端部が開放状とされた仕切板とを交互に配設して所要数の濾過室が区画形成され、該各濾過室には各々所要のレベルでもってフィルタ−が着脱自在に布設されてなることを特徴とする、濁水用濾過装置を要旨とするものである。
【０００８】
上記請求項１記載の濁水濾過装置において、フィルタ−は上下一対の透水シ−ト間に粒状濾材を介装して層状に形成され、該濾材は山砂・川砂・軽意志などの粒状物よりなり、また、濾過槽の送水口には所要の連結ホ−スを介して所要のノッチタンクが接続自在とされている。
【発明の効果】
【０００９】
上述野如く構成された本発明は、送水口より濁水を濾過槽内に導入せしめ、仕切り板を介して順次濾過質に乱流状に流入せしめつつフィルタ−より濾過して浄水せしめることが出来るものであって、濁水を迅速、かつ、確実に能率よく濾過処理せしめることが出来るのみならず、従来例に比して構造が簡単であり、安価に製作することが出来るものである
。また、濾過槽は可搬自在戸されているから、比較的少量の濁水を発生する土木建築工事現場においても容易に搬入して使用に供することが出来るものである。
【発明を実施するための最良の形態】
【００１０】
以下に、本発明を実施するための最良の形態を図面に示す一実施例に基づいて説明する
。
【実施例１】
【００１１】
図１乃至図４は本発明の一実施例を示すもので、同図中、１ａは所要の幅戸高さを備えた可搬自在な方形体状の濾過槽、２は該濾過槽１ａの一側上端部に形成された送水口、３は該送水口２に対応すべく同他側上端部に形成された排水口４・５・６・７は濾過槽１ａ
内にその送水口２側より排水口側３に向けて第１・第２・第３仕切板８・９・１０でもって区画形成された第１・第２・第３・第４濾過質である。そして、上記第１仕切板８および第３仕切板１０は第１・第２濾過室４・５の加担部および第３・第４濾過室６・７の下端部を連通せしめるべく各々その下端部が開放状に形成され、また、第２仕切板９は第２
・第３濾過室５・６との上端部を連通せしめるべくその上端部が開放状に形成されている
。１１は前記第１・第２・第３濾過室４・５・６・７の上部に網目状のフレ−ム１２を介して各々着脱自在に水平布設されたフィルタ−、１３は該各フィルタ−１１を構成する上下一対の透水シ−ト、１４は該上下の透水シ−ト１３間に層状に介装された粒状の濾材で
、該濾材１４の材質としては山砂・川砂・軽石等の粒状物が用いられ、これらの粒状物の１種または２種以上を混合して用いる。
【００１２】
そして、上述の如く構成された実施例は、可搬して所要の土木建設工事現場に設置せしめる。このさい、可搬自在とされているから、比較的小スペ−スの土木建設工事現場においても容易に搬入して設置せしめることが出来る。しかるのち、所要の貯留タンク（図示略）に貯留せしめた濁水を所要のポンプ（図示略）を開始送水口２より濾過槽１ａ内に導入せしめ、第１・第２・第３仕切板８・９・１０を介して順次第１・第２・第３・第４濾過室４・５・６・７内に乱流状に流入せしめつつ、フィルタ−１１により濾過して浄水化せしめる。即ち、送水口２より濁水を第１濾過室４に流入せしめ、フィルタ−１１により一次濾過せしめたのち、第１仕切板８の下端部を通して第２濾過室５に流入せしめる。すると、第２濾過室５に流入した一次濾過水は次第に上昇し、フィルタ−１１により二次濾過せしめられたのち第２仕切板９上をオ−バ−ブロ−しつつ第３濾過室６内に流入する。
そして、第３濾過室６内に流入した二次濾過水はフィルタ−１１により三次濾過せしめられて浄水化し、第３仕切板１０の下端部を通して濾過質７に流入せしめたのち、排水口３を通して順次外方に排出せしめる。このさい、フィルタ−１１は各々上下一対野透水シ−ト１３間に粒状濾材１４を介装せしめているから、濁水中の富裕物や懸濁物を付着せしめたり、吸着せしめて補足しつつ、順次濾過せしめることが出来るものであって、常に濁水を迅速、かつ確実に能率よく濾過処理背すめることが出来るものである。
【００１３】
以下同様に、送水口２より濁水を濾過槽１ａ内に導入せしめ、第１・第２・第３仕切板８・９・１０を介して順次第１・第２・第３濾過室４・５・６に乱入状に流入せしめつつフィルタ−１１により濾過して浄水化せしめるとよい。
【実施例２】
【００１４】
図５乃至図７は本発明の第２実施例をしめすもので、濾過槽１ｂが仕切壁１５を開始第１槽１６・第２槽１７・第３槽１８の三槽状に区画形成され、該第１・第２・第３槽１６
・１７・１８の各一端部に送水口２が形成されると共に、同他端に排水口３が形成され、かつ、濾過槽１ｂの両側に梯子１９が布設された点が第１実施例と相違し、他の部分は同一であり、同一符号は同一部分を示す。
【００１５】
そして、上述の如く構成された第２実施例は、第１実施例と同様に、各送水口２より濁水を第１・第２・第３槽１６・１７・１８内に導入せしめ、第１・第２・第３仕切板８・９・１０を各々介して順次第１・第２・第３濾過室４・５・６に乱入状に流入せしめつつフィルタ−１１より濾過して浄化せしめた後、第４濾過室７に流入せしめ、排水口３を通して順次外方に排出せしめるものである。このさい、濾過槽１ｂは仕切壁１５を介し第１
・第２・第３槽１６・１７・１８の三槽上に区画形成されているから、第１実施例に比して比較的大型化せしめることが出来るものであって、ひいては、比較的多量の濁水を迅速に能率よく濾過処理せしめることが出来る。
【００１６】
そして、上記濾過槽１ｂは単独で小してもよく、また、図８に示すように、内部に所要高の仕切板２１を備えたノッチタンク２０（図９参照）に連結ホ−ス２２を介して競る続せしめ、予め濁水中野汚濁物質をノッチタンク２０内に沈降せしめた後、濁水を濾過槽１ｂにより濾過処理せしめてもよいものである。
【００１７】
なお、上記第１・第２実施例において、濾過槽１ａ・１ｂは下端部が開放状とされた第１・第３仕切板８・１０と上端部が開放状とされた第２仕切板９とを介し第１・第２・第３・第４濾過質４・５・６・７を区画形成すると共に、第１・第２・第３濾過室４・５・６に各々フィルタ−１１を布設するものとされているが、これに限定されるものでなく、必要に応じて仕切板を増減せしめ、それに応じてフィルタ−を布設せしめるとよい。また
、第１・第２実施例は土木建設工事現場への適用例を示したが、これに限定されるものでなく、農業用水を農地に導入する場合や河川に放流せしめるさいの濁水の濾過処理にも適用せしめることが出来るものである。
【図面の簡単な説明】
【００１８】
【図１】本発明の第１実施例に係る濁水用濾過装置を示す側面図である。
【図２】本発明の第１実施例に係る濁水用濾過装置を示す平面図である。
【図３】図２のＡ−Ａ線に沿う断面図である。
【図４】第１実施例のフィルタ−１１を示す一部破断拡大断面図である。
【図５】本発明の第２実施例に係る濁水用濾過装置を示す側面図である。
【図６】本発明の第２実施例に係る濁水用濾過装置を示す平面図である。
【図７】図６のＢ−Ｂ線に沿う断面図である。
【図８】本発明の第２実施例に係る濁水用濾過装置にノッチタンク２０を接続せしめた状態を示す正面図である。
【図９】図８のノッチタンク２０を示す縦断面図である。
【符号の説明】
【００１９】
１ａ・１ｂ    濾過槽
２    送水口
３    排水口
４    第１濾過室            
５    第２濾過室            
６    第３濾過室            
７    第４濾過室            
８    第１仕切板          
９    第２仕切板          
１０  第３仕切板
１１  フィルタ−
１２  濾材
２０  ノッチタンク
２２  連結ホ−ス
【図１】
2005131565.tif 000003
【図２】
2005131565.tif 000004
【図３】
2005131565.tif 000005
【図４】
2005131565.tif 000006
【図５】
2005131565.tif 000007
【図６】
2005131565.tif 000008
【図７】
2005131565.tif 000009
【図８】
2005131565.tif 000010
【図９】
2005131565.tif 000011